(57)【要約】      （修正有）【課題】配線ケーブルに損傷が生じることを効果的に防止しつつ、安定した状態で配線ケーブルの抜けを防止することができる配線接続装置を提供する。【解決手段】本実施の形態の配線接続装置は、ボックス本体２と、ボックス本体２の壁部に形成されると共にボックス本体２の内部と外部とを連通する筒部３と、を有する配線接続用ボックスと、筒部３に通される配線ケーブル１０と、結束バンド６と、を備える。筒部３に、周方向に離間する複数の貫通孔５が形成されており、筒部３に通された配線ケーブル１０が、２つの貫通孔５に通されて環状をなす結束バンド６の内側に通され、結束バンド６が締め付けられることにより筒部３に保持されている。【選択図】図３
0003196480.tif 000002
【実用新案登録請求の範囲】
【請求項１】
ボックス本体と、前記ボックス本体の壁部に形成されると共に前記ボックス本体の内部と外部とを連通する筒部と、を有する配線接続用ボックスと、
前記筒部に通される配線ケーブルと、
結束バンドと、を備え、
前記筒部に、周方向に離間する複数の貫通孔が形成されており、
前記筒部に通された前記配線ケーブルが、前記複数の貫通孔のうちの２つの貫通孔に通されて環状をなす前記結束バンドの内側に通され、前記結束バンドが締め付けられることにより前記筒部に保持されていることを特徴とする配線接続装置。
【請求項２】
前記ボックス本体は、スイッチ又はコンセントが配置された表面側壁部と、前記表面側壁部が外部に指向する方向とは反対の方向に向けて前記表面側壁部の外周部から延びる周壁部と、を有し、
前記筒部は、前記周壁部に形成されており、
前記複数の貫通孔は、前記筒部のうちの前記表面側壁部が位置する側とは反対側の部分に形成されていることを特徴とする請求項１に記載の配線接続装置。
【請求項３】
ボックス本体と、前記ボックス本体の壁部に形成されると共に前記ボックス本体の内部と外部とを連通する筒部と、を備える配線接続用ボックスであって、
前記筒部に、周方向に離間する複数の貫通孔が形成されており、
前記筒部に通される配線ケーブルを、前記複数の貫通孔のうちの２つの貫通孔に通されて環状をなす結束バンドの内側に通し、前記結束バンドを締め付けることにより前記筒部に保持するように構成されていることを特徴とする配線接続用ボックス。
【請求項４】
前記ボックス本体は、スイッチ又はコンセントが配置された表面側壁部と、前記表面側壁部が外部に指向する方向とは反対の方向に向けて前記表面側壁部の外周部から延びる周壁部と、を有し、
前記筒部は、前記周壁部に形成されており、
前記複数の貫通孔は、前記筒部のうちの前記表面側壁部が位置する側とは反対側の部分に形成されていることを特徴とする請求項３に記載の配線接続用ボックス。
【考案の詳細な説明】
【技術分野】
【０００１】
本考案の実施の形態は、配線接続装置及び配線接続用ボックスに関する。
【背景技術】
【０００２】
コンセントボックスやスイッチボックス等の配線接続用ボックスは、建造物の壁や床等に多く設置されている。配線接続用ボックスには、大部分が建造物の壁や床等に埋め込まれるように設置される埋め込みタイプや、全体的に外部に露出するように設置される露出タイプ等がある（例えば、特許文献１参照）。
【０００３】
このような配線接続用ボックスは、一般的に、スイッチ等が支持されるボックス本体を備えており、ボックス本体の壁部に、配線ケーブルを通すための貫通孔が形成されている。ボックス本体の内部においては、貫通孔を通された配線ケーブルとスイッチ等の接点とが、接続されるようになっている。
【０００４】
上述のように配線ケーブルが貫通孔に通される際、配線ケーブルの外径が、貫通孔の内径よりも小さい場合には、配線ケーブルと貫通孔との間に隙間が生じる。この場合、配線ケーブルが抜け易くなり、また、配線ケーブルが貫通孔の内周縁に接触して配線ケーブルの外周面に損傷が生じ易くなるという問題がある。このような問題を考慮して、ボックス本体の壁部に配線ケーブルを通すための筒部が形成され、この筒部に径方向に貫通するネジ部材が設けられる構成が知られている。
【０００５】
上記の構成では、ネジ部材によって、筒部内に通された配線ケーブルが筒部の内周面に押し当てられた状態で保持されることにより、配線ケーブルの抜けを防止することができるとともに、配線ケーブルの移動を規制することによって当該ケーブルが筒部の内周面に接触することを防止することができる。
【先行技術文献】
【特許文献】
【０００６】
【特許文献１】特開２００４−３２０８５７号公報
【考案の概要】
【考案が解決しようとする課題】
【０００７】
しかしながら、上述のようにネジ部材によって配線ケーブルを筒部の内周面に押し当てる構成では、ネジ部材から配線ケーブルに局所的に力が付与されてしまい、配線ケーブルに損傷が生じる虞がある。
【０００８】
また、配線ケーブルの外径と筒部の内径との差が大きい場合には、配線ケーブルが筒部の内周面に押し当てられた状態で保持されたとしても、配線ケーブルがネジ部材と筒部との間から脱落し易い。そのため、保持状態が不安定であるという問題もある。
【０００９】
本考案はこのような事情に鑑みてなされたものであり、配線ケーブルに損傷が生じることを効果的に防止しつつ、安定した状態で配線ケーブルの抜けを防止することができる配線接続装置及び配線接続用ボックスを提供することを目的とする。
【課題を解決するための手段】
【００１０】
実施の形態による配線接続装置は、ボックス本体と、前記ボックス本体の壁部に形成されると共に前記ボックス本体の内部と外部とを連通する筒部と、を有する配線接続用ボックスと、前記筒部に通される配線ケーブルと、結束バンドと、を備え、前記筒部に、周方向に離間する複数の貫通孔が形成されており、前記筒部に通された前記配線ケーブルが、前記複数の貫通孔のうちの２つの貫通孔に通されて環状をなす前記結束バンドの内側に通され、前記結束バンドが締め付けられることにより前記筒部に保持されていることを特徴とする。
【００１１】
また、実施の形態による配線接続用ボックスは、ボックス本体と、前記ボックス本体の壁部に形成されると共に前記ボックス本体の内部と外部とを連通する筒部と、を備える配線接続用ボックスであって、前記筒部に、周方向に離間する複数の貫通孔が形成されており、前記筒部に通される配線ケーブルを、前記複数の貫通孔のうちの２つの貫通孔に通されて環状をなす結束バンドの内側に通し、前記結束バンドを締め付けることにより前記筒部に保持するように構成されていることを特徴とする。
【考案の効果】
【００１２】
本考案によれば、配線ケーブルに損傷が生じることを効果的に防止しつつ、安定した状態で配線ケーブルの抜けを防止することができる。
【図面の簡単な説明】
【００１３】
【図１】実施の形態にかかる配線接続装置を表面側から見た斜視図である。
【図２】実施の形態にかかる配線接続装置を裏面側から見た斜視図である。
【図３】図２の拡大図である。
【図４】配線ケーブルが通された状態の配線接続用ボックスの筒部の径方向に沿う断面図である。
【考案を実施するための形態】
【００１４】
以下に、添付の図面を参照して、本実施の形態について詳細に説明する。
【００１５】
図１及び図２には、本実施の形態にかかる配線接続装置１００の斜視図が示されている。この配線接続装置１００は、配線接続用ボックス１と、配線ケーブル１０と、結束バンド６と、を備えている。
【００１６】
図１及び図２に示すように、配線接続用ボックス１は、ボックス本体２と、ボックス本体２の壁部に形成されると共にボックス本体２の内部と外部とを連通する筒部３と、を有している。配線接続用ボックス１は、例えば、ステンレス、アルミ等の金属、又は、ポリエチレン等のプラスチックから形成されている。配線接続用ボックス１は、いわゆるスイッチボックスである。ボックス本体２は、スイッチ４が配置された表面側壁部２Ａと、表面側壁部２Ａが外部に指向する方向とは反対の方向に向けて表面側壁部２Ａの外周部から延びる周壁部２Ｂと、を一体に有している。
【００１７】
図示の例において、表面側壁部２Ａは長方形状に形成されており、周壁部２Ｂは、断面視で長方形の枠状を呈するように形成されている。周壁部２Ｂは、表面側壁部２Ａ側とは反対側の方向に開放している。この配線接続用ボックス１は、表面側壁部２Ａ及びスイッチ４が外部に露出するように、ボックス本体２が例えば壁や床等に固定されて使用されるようになっている。なお、配線接続用ボックス１は、いわゆる埋め込みタイプであってもよい。
【００１８】
筒部３は、周壁部２Ｂのうちの図面の上方側の部分から外部に突出するように形成されている。筒部３は円筒状に形成されており、この筒部３には、配線ケーブル１０が通されている。筒部３を通された配線ケーブル１０は、ボックス本体２の内部において、スイッチ４の接点に接続されるようになっている。なお、配線ケーブル１０とスイッチ４との接続構造については、従来公知のため、その説明は省略する。また、図１及び図２においては、説明の便宜上、当該接続構造に関する部分が省略されている。
【００１９】
図３には、図２における筒部３の周辺が拡大して示されている。図３に示すように、筒部３には、当該筒部３の周方向に離間する複数の貫通孔５（図示の例では２つ）が形成されている。これら貫通孔５は、筒部３のうちの表面側壁部２Ａが位置する側とは反対側の部分に形成されている。また、これら貫通孔５は、筒部３の軸方向で同一の高さ位置に形成されている。
【００２０】
ここで、図３に示すように、結束バンド６は、紐状の部材であり、２つの貫通孔５に通されて環状をなすように連結されている。そして、この配線接続装置１００においては、筒部３に通された配線ケーブル１０が、２つの貫通孔５に通されて環状をなす結束バンド６の内側に通され、結束バンド６が締め付けられることにより、筒部３に保持されるようになっている。これにより、配線ケーブル１０は、結束バンド６によって抜けが防止された状態に保持されている。
【００２１】
図４は、筒部３の径方向に沿う断面図を示しており、同図には、結束バンド６による配線ケーブル１０の保持状態が示されている。図４に示すように、本実施の形態では、配線ケーブル１０が、２つの貫通孔５の間において筒部３の内周面に当接した状態で維持されるように、結束バンド６によって押し付けられている。すなわち、結束バンド６は、その内側に通された配線ケーブル１０が筒部３の内周面に当接した状態で維持されるように、その径の大きさが調整されて締め付けられている。
【００２２】
図４に示すように、結束バンド６は、バンド本体６Ａと、バンド本体６Ａの一端部に設けられた結合部６Ｂと、を有している。結合部６Ｂには、バンド本体６Ａの他端部を一方向に通過させる通し孔６Ｃが形成されている。この結合部６Ｂは、バンド本体６Ａのうちの通し孔６Ｃの内部に通された部分が他方向へ抜けることを規制する構造となっている。このような構造を有する結束バンド６としては、例えば、インシュロック（登録商標）等が挙げられる。なお、結束バンド６は、ナイロン、ポリエチレン等のプラスチックから形成されている。
【００２３】
以上のような配線接続装置１００における配線接続用ボックス１の筒部３に対する配線ケーブル１０の保持作業の一例を説明すると、まず、ボックス本体２における筒部３に配線ケーブル１０が通される。その後、結束バンド６が２つの貫通孔５に通されて、環状をなすように連結され、配線ケーブル１０を、結束バンド６の内側に通した状態とする。
【００２４】
結束バンド６が環状をなすように連結する際、例えば、バンド本体６Ａの一端部に設けられた結合部６Ｂを筒部３の外側に配置した状態で、バンド本体６Ａの他端部を２つの貫通孔５のうちの一方の貫通孔５に通して筒部３の内部に進入させ、配線ケーブル１０の外周を通過させた後、他方の貫通孔５から筒部３の外部に引き出して、結合部６Ｂの通し孔６Ｃに通過させる。その後、結束バンド６は、配線ケーブル１０が筒部３の内周面に当接した状態で維持されるように、その径の大きさが調整されて締め付けられる。これにより、配線ケーブル１０は、結束バンド６によって抜けが防止された状態に保持される。ここで、作業効率を向上させるために、結合部６Ｂとバンド本体６Ａの他端部側との連結は、筒部３の外部で行うことが好ましい。
【００２５】
以上に記載した本実施の形態によれば、筒部３に通された配線ケーブル１０が、２つの貫通孔５に通されて環状をなす結束バンド６の内側に通され、配線ケーブル１０が、結束バンド６が締め付けられることにより筒部３に保持されている。この構成では、結合バンド６から配線ケーブル１０に局所的に力が付与されない状態で、結束バンド６によって配線ケーブル１０の抜けが防止される。また、結束バンド６は、配線ケーブル１０を囲うようにして、配線ケーブル１０の移動を規制するため、安定した状態で配線ケーブル１０の抜けを防止することができる。
【００２６】
これにより、本実施の形態によれば、配線ケーブル１０に損傷が生じることを効果的に防止しつつ、安定した状態で配線ケーブル１０の抜けを防止することができる。
【００２７】
また、本実施の形態では、筒部３に貫通孔５を形成するのみで、配線ケーブル１０の保持構造を形成できるため、製造コストをかけずに配線ケーブル１０の抜けを防止することができる利点もある。
【００２８】
また、本実施の形態では、貫通孔５が、筒部３のうちの表面側壁部２Ａが位置する側とは反対側の部分に形成されている。これにより、貫通孔５が目立たなくなることで、外観が損なわれることを防止することができる。
【００２９】
以上、本考案の実施の形態を説明したが、上記の実施の形態は、例として提示したものであり、考案の範囲を限定することは意図していない。この新規な実施の形態は、その他の様々な形態で実施されることが可能であり、考案の要旨を逸脱しない範囲で、種々の省略、置き換え、変更を行うことができる。この実施の形態やその変形は、考案の範囲や要旨に含まれるとともに、実用新案請求の範囲に記載された考案とその均等の範囲に含まれる。
【００３０】
例えば、上述の実施の形態では、筒部３に貫通孔５が２つ形成される例を説明したが、３つ以上形成されてもよい。
【００３１】
また、上述の実施の形態では、配線接続用ボックスとしてスイッチボックスを例示したが、配線接続用ボックスは、コンセントボックス等であっても構わない。コンセントボックスである場合には、上述した表面側壁部２Ａには、コンセントが支持される。
【符号の説明】
【００３２】
１  配線接続用ボックス
２  ボックス本体
２Ａ  表面側壁部
２Ｂ  周壁部
３  筒部
４  スイッチ
５  貫通孔
６  結束バンド
６Ａ  バンド本体
６Ｂ  結合部
６Ｃ  通し孔
１０  配線ケーブル
１００  配線接続装置
【図１】
0003196480.tif 000003
【図２】
0003196480.tif 000004
【図３】
0003196480.tif 000005
【図４】
0003196480.tif 000006